(57)【要約】  三脚（１２）上に配置され、膨張状態で円筒形の内部空間を取り囲むエアバッグ（１４）を有する、測定装置用の保護デバイス（１０）が開示される。【選択図】図３Ｂ
2021531477.tif 000002
【特許請求の範囲】
【請求項１】
三脚（１２）上に配置することができる測定装置（１１）用の保護デバイス（１０）であって、
ねじ穴（２５）及びねじピン（２６）を有するハウジング（１３）であって、前記ねじ穴（２５）が、前記ハウジング（１３）のハウジング下部側面（２１）に設けられており、前記ねじピン（２６）が、前記ハウジング（１３）のハウジング上部側面（２２）に設けられている、ハウジング（１３）と、
エアバッグ（１４、５１）と、
少なくとも１つのガスが充填されたガスコンテナ（１７）、制御デバイス（１８）、及びエネルギー源（１９）を有する充填デバイス（１５）と、
ガス交換のために前記エアバッグ（１４、５１）と前記充填デバイス（１５）とを接続する接続ライン（１６）と、を有する、保護デバイス（１０）において、
前記エアバッグ（１４、５１）が、膨張状態で円筒形の内部空間（３１、５８）を取り囲む、ことを特徴とする、保護デバイス（１０）。
【請求項２】
前記エアバッグ（１４、５１）が、第１の安定化チャンバ（３２、５３）、衝撃チャンバ（３３、５４）、及び第２の安定化チャンバ（３４、５５）を有し、前記第１の安定化チャンバ（３２、５３）及び前記衝撃チャンバ（３３、５４）が、ガス交換のために接続されており、前記衝撃チャンバ（３３、５４）及び前記第２の安定化チャンバ（３４、５５）が、ガス交換のために接続されている、ことを特徴とする、請求項１に記載のデバイス。
【請求項３】
前記衝撃チャンバ（３３）が、前記第１の安定化チャンバ（３２）の第１の幅（ｂ１）よりも大きく、且つ、前記第２の安定化チャンバ（３４）の第２の幅（ｂ２）よりも大きいリング幅（Ｂ）を有する、ことを特徴とする、請求項２に記載のデバイス。
【請求項４】
前記第１の安定化チャンバ（３２）が、複数の第１のサブチャンバ（３２Ａ、３２Ｂ、３２Ｃ、３２Ｄ）を有し、隣接する第１のサブチャンバが、ガス交換のために接続されている、ことを特徴とする、請求項２又は３に記載のデバイス。
【請求項５】
前記衝撃チャンバ（３３）が、複数の第１の衝撃サブチャンバ（３３Ａ、３３Ｂ、３３Ｃ、３３Ｄ）を有し、隣接する第１の衝撃サブチャンバが、ガス交換のために接続されている、ことを特徴とする、請求項２〜４のいずれか一項に記載のデバイス。
【請求項６】
前記第２の安定化チャンバ（３４）が、複数の第２のサブチャンバ（３４Ａ、３４Ｂ、３４Ｃ）を有し、隣接する第２のサブチャンバが、ガス交換のために接続されている、ことを特徴とする、請求項２〜５のいずれか一項に記載のデバイス。
【請求項７】
前記エアバッグ（５１）が、充填チャンバ（５２）を有し、前記第１の安定化チャンバ（５３）及び前記充填チャンバ（５２）が、ガス交換のために接続されている、ことを特徴とする、請求項２に記載のデバイス。
【請求項８】
前記充填チャンバ（５２）が、複数のサブチャンバを有する、ことを特徴とする、請求項７に記載のデバイス。
【請求項９】
前記エアバッグ（５１）が、更なる衝撃チャンバ（５６）及び第３の安定化チャンバ（５７）を更に有し、前記第２の安定化チャンバ（５５）及び前記更なる衝撃チャンバ（５６）が、ガス交換のために接続されており、前記更なる衝撃チャンバ（５６）及び前記第３の安定化チャンバ（５７）が、ガス交換のために接続されている、ことを特徴とする、請求項２〜８のいずれか一項に記載のデバイス。
【請求項１０】
前記更なる衝撃チャンバ（５６）が、複数の第２の衝撃サブチャンバを有し、隣接する第２の衝撃サブチャンバが、ガス交換のために接続されている、ことを特徴とする、請求項９に記載のデバイス。
【請求項１１】
前記第３の安定化チャンバ（５７）が、複数の第３のサブチャンバを有し、隣接する第３のサブチャンバが、ガス交換のために接続されている、ことを特徴とする、請求項９又は１０に記載のデバイス。
【請求項１２】
前記制御デバイス（１８）によって開状態と閉状態とを切り替えることができるバルブが、前記接続ライン（１８）に設けられている、ことを特徴とする、請求項１〜１１のいずれか一項に記載のデバイス。
【発明の詳細な説明】
【技術分野】
【０００１】
本発明は、請求項１の前文に係る測定装置用の保護デバイスに関する。
【背景技術】
【０００２】
トータルステーション、レーザスキャナ、２Ｄレイアウトデバイス、及び回転式レーザレベルなどの測定装置は、レベリング、マーキング、及び測定タスクのために内外で使用される。測定装置は、一般に、三脚に固定され、三脚は、所望の位置で内外に設置される。この文脈では、測定装置及び三脚が、下にある表面上、又は周囲の物体上に、転倒及び落下する事故が起こり得る。敏感な測定装置は、取り返しがつかないほどに損傷する場合がある。一方では、これにより、測定装置の修理又は交換の費用を生じさせ、更に、測定装置が修理又は交換されるまで、利用可能な測定装置がなくなってしまう。
【０００３】
落下による測定装置の損傷を避けるために、エアバッグを備えた保護デバイスが知られている。ＫＲ１０１４７４７１８Ｂ１号明細書には、トータルステーションとして設計された測定装置用のこの種の保護デバイスが開示されている。装置が転倒した場合、クッションとして設計されたエアバッグが膨張し、下にある表面と測定装置との間にそれ自身が位置付けられ、それによって下にある表面上での測定装置の直接的な衝撃を防ぐ。保護デバイスは、測定装置と三脚との間に配置された別個のアクセサリとして設計されている。保護デバイスは、ハウジング、４つのエアバッグ、ガスが充填されたガスコンテナを有する充填デバイス、制御デバイス、及びエネルギー源、並びにエアバッグを充填デバイスに接続する接続ライン、を備える。４つのエアバッグは、保護デバイスのハウジング内に折り畳まれて配置され、４つのエアバッグのそれぞれは、１つの角度領域に割り当てられている。センサデバイスを用いて、測定装置及び関連付けられたエアバッグの転倒方向が決定される。エアバッグを充填するためのガスコンテナは、ラインを介してエアバッグに接続され、三脚の近くに設置されている。
【０００４】
測定装置用に関するＫＲ１０１４７４７１８Ｂ１号明細書から既知の保護デバイスには、４つのエアバッグが必要とされ、充填デバイスがハウジングの外側に配置されるという欠点がある。これにより、測定装置の操作時にユーザの邪魔をし得る保護デバイスがもたらされ、ユーザは、三脚の隣に設置されたガスコンテナにつまずいて、測定装置を転倒させる可能性がある。２つの隣接するエアバッグ間の移行領域で測定装置が衝撃を受けると、保護デバイスがあったとしても、測定装置がエアバッグを傾けたり転がしたりして、測定装置が損傷する危険性がある。
【発明の概要】
【発明が解決しようとする課題】
【０００５】
本発明の目的は、三脚に固定される測定装置用の保護デバイスを開発することである。保護デバイスは、測定装置の全ての構成要素を損傷から保護することを意図している。同時に、保護デバイスは、可能な限りコンパクトな設計であるべきであり、測定装置の操作時に、ユーザをできるだけ邪魔しない、理想的にはまったく邪魔しないようにする必要がある。
【課題を解決するための手段】
【０００６】
本発明によれば、この目的は、独立請求項１の特徴によって、測定装置について始めに述べた保護デバイスの場合に達成される。有利な展開については、従属クレームに明記されている。
【０００７】
本発明によれば、エアバッグは、膨張状態で円筒形の内部空間を取り囲むことが想定されている。本発明による保護デバイスは、三脚に固定された測定装置を保護するために使用される。測定器が三脚に固定されている事実により、三脚及び／又は測定装置に衝撃を与えることで三脚の転倒につながる。一般に、三脚及び測定装置を含む全体の配置が、１つの三脚の脚又は２つの三脚の脚の上で傾いて、測定装置は、弧を描いて下にある表面に近づく。下にある表面に最初にぶつかる測定装置の領域は、エアバッグを用いて簡単に識別及び保護することができる。
【０００８】
エアバッグは、膨張状態で、測定装置が配置されている円筒形の内部空間を取り囲むように設計されている。三脚が転倒すると、測定装置はその側面に衝撃を受けるため、エアバッグは十分な保護を提供する。エアバッグは測定装置を取り囲み、衝撃時に導入されるエネルギーを分配するため、このプロセスの間、測定装置に伝達されるエネルギーは可能な限り少なくなる。円筒形の内部空間は、複数の円筒形セクションから構成することができ、円筒形の内部空間の形状は、測定装置の形状に一致する。
【０００９】
エアバッグは、好ましくは、第１の安定化チャンバ、衝撃チャンバ、及び第２の安定化チャンバを有し、第１の安定化チャンバ及び衝撃チャンバは、ガス交換のために接続され、衝撃チャンバ及び第２の安定化チャンバは、ガス交換のために接続されている。衝撃チャンバという用語は、下にある表面との衝突時にエネルギーが導入されるエアバッグのチャンバを示すために使用され、安定化チャンバという用語は、エアバッグの形状を安定化するエアバッグのチャンバを示すために使用される。転倒の間、エネルギーは衝撃チャンバを介して導入され、次いで、導入されたエネルギーは、エアバッグ内で分配及び放散される。このプロセスの間、エアバッグの円筒形の内部空間に配置された測定装置に伝達されるエネルギーは可能な限り少なくなる。衝撃チャンバは環状設計であり、測定装置による衝撃の間に下にある表面に最初に接触する測定装置の領域を保護する。衝撃チャンバは、エアバッグの外側で、第１の安定化チャンバに対して及び第２の安定化チャンバに対して突出するように構成されている。
【００１０】
特に好ましいものとして、衝撃チャンバは、第１の安定化チャンバの第１の幅よりも大きく、且つ、第２の安定化チャンバの第２の幅よりも大きいリング幅を有する。衝撃チャンバのリング幅により、衝撃チャンバが、エアバッグの外側で、第１の安定化チャンバに対して及び第２の安定化チャンバに対して突出するのを確実にすることが可能である。
【００１１】
第１の安定化チャンバは、好ましくは、複数の第１のサブチャンバを有し、隣接する第１のサブチャンバは、ガス交換のために接続されている。第１の安定化チャンバを形成する第１のサブチャンバの数及び形状により、衝撃の間に導入されるエネルギーのエネルギー伝達がエアバッグ内でどのように行われるかに影響を与えることが可能である。このプロセスの間、エアバッグの円筒形の内部空間に配置された測定装置に伝達されるエネルギーは可能な限り少なくなる。
【００１２】
衝撃チャンバは、好ましくは、複数の第１の衝撃サブチャンバを有し、隣接する第１の衝撃サブチャンバは、ガス交換のために接続されている。衝撃チャンバを形成する第１の衝撃サブチャンバの数及び形状により、衝撃の間に導入されるエネルギーのエネルギー伝達がエアバッグ内でどのように行われるかに影響を与えることが可能である。このプロセスの間、エアバッグの円筒形の内部空間に配置された測定装置に伝達されるエネルギーは可能な限り少なくなる。
【００１３】
第２の安定化チャンバは、好ましくは、複数の第２のサブチャンバを有し、隣接する第２のサブチャンバは、ガス交換のために接続されている。第２の安定化チャンバを形成する第２のサブチャンバの数及び形状により、衝撃の間に導入されるエネルギーのエネルギー伝達がエアバッグ内でどのように行われるかに影響を与えることが可能である。このプロセスの間、エアバッグの円筒形の内部空間に配置された測定装置に伝達されるエネルギーは可能な限り少なくなる。
【００１４】
エアバッグは、好ましくは、充填チャンバを有し、第１の安定化チャンバ及び充填チャンバは、ガス交換のために接続されている。ガスは、第１の安定化チャンバに直接流入するのではなく、最初に充填チャンバに流入し、そこから、第１の安定化チャンバに流入する。充填チャンバは、ガスを第１の安定化チャンバ内に均一に分配し、保護デバイスのハウジングと、エアバッグの第１の安定化チャンバとの間の通路をブリッジする。
【００１５】
特に好ましいものとして、充填チャンバは、複数のサブチャンバを有する。エアバッグへのガスの充填を加速するために、ガスコンテナは、ガスコンテナを充填チャンバのサブチャンバに接続する複数の接続ラインを有することができる。
【００１６】
特に好ましいものとして、エアバッグは、更なる衝撃チャンバ及び第３の安定化チャンバを更に有し、第２の安定化チャンバ及び更なる衝撃チャンバは、ガス交換のために接続され、更なる衝撃チャンバ及び第３の安定化チャンバはガス交換のために接続されている。大型の測定装置又は不規則な形状の測定装置の場合、更なる衝撃チャンバ及び第３の安定化チャンバを備えたエアバッグにより、複数の衝撃チャンバを介して衝撃の間にエアバッグにエネルギーを導入し、それをより均一に分配する可能性を提供する。衝撃チャンバ及び更なる衝撃チャンバに導入されたエネルギーは、エアバッグ内のガスを用いて分配される。
【００１７】
特に好ましいものとして、更なる衝撃チャンバは、複数の第２の衝撃サブチャンバを有し、隣接する第２の衝撃サブチャンバは、ガス交換のために接続されている。衝撃チャンバを形成する第２の衝撃サブチャンバの数及び形状により、衝撃の間に導入されるエネルギーのエネルギー伝達がエアバッグ内でどのように行われるかに影響を与えることが可能である。このプロセスの間、エアバッグの円筒形の内部空間に配置された測定装置に伝達されるエネルギーは可能な限り少なくなる。
【００１８】
特に好ましいものとして、第３の安定化チャンバは、複数の第３のサブチャンバを有し、隣接する第３のサブチャンバは、ガス交換のために接続されている。第３の安定化チャンバを形成する第３のサブチャンバの数及び形状により、衝撃の間に導入されるエネルギーのエネルギー伝達がエアバッグ内でどのように行われるかに影響を与えることが可能である。このプロセスの間、エアバッグの円筒形の内部空間に配置された測定装置に伝達されるエネルギーは可能な限り少なくなる。
【００１９】
好ましい実施形態では、制御デバイスによって開状態と閉状態とを切り替えることができるバルブが、接続ラインに設けられている。エアバッグに導入されたガスは、エアバッグのトリガ後、バルブを介してゆっくりと排出させることができる。代替として、保護デバイスからガスコンテナを取り外すことによってエアバッグを空にすることができ、それによって、エアバッグからより迅速にガスを排出させることができる。エアバッグに使用される材料は、一般に、ガスに対して完全に不浸透性ではなく、ガスのごく一部が、エアバッグを通って外部に拡散し得る。
【００２０】
例示的な実施形態
本発明の例示的な実施形態を、図面を参照して以下に説明する。これらが例示的な実施形態をスケーリングすることを示すことは必ずしも意図されておらず、代わりに、説明に助けとなる図面が、概略的に及び／又はわずかに歪んだ形態で表されている。ここでは、本発明の一般的な概念から逸脱することなく、実施形態の形態及び詳細に関連する様々な修正及び変更を行うことができることを考慮に入れるべきである。本発明の一般的な概念は、以下に示され、説明される好ましい実施形態の正確な形態又は詳細に限定されず、又は特許請求の範囲で請求される主題と比較して限定され得る主題に限定されない。所与の設計範囲に対して、言及された制限内の値もまた制限値として開示され、所望に応じて使用可能であり、請求可能でなければならない。簡単にするために、以下では、同一若しくは類似の部品、又は同一若しくは類似の機能を有する部品に対して同一の参照番号を使用する。
【図面の簡単な説明】
【００２１】
【図１】測定装置と三脚との間に配置された保護デバイスについて示す図である。
【図２Ａ】図１の保護デバイスについて示す図である。
【図２Ｂ】図１の保護デバイスについて示す図である。
【図３Ａ】上方からの図であり、膨張したエアバッグを備えた図１の保護デバイスについて示す図である。
【図３Ｂ】側面図であり、膨張したエアバッグを備えた図１の保護デバイスについて示す図である。
【図４Ａ】複数のチャンバから構成される、図３Ａ及び図３Ｂのエアバッグを示しており、第１の安定化チャンバと衝撃チャンバとの間の接続について示す図である。
【図４Ｂ】複数のチャンバから構成される、図３Ａ及び図３Ｂのエアバッグを示しており、衝撃チャンバと第２の安定化チャンバ３４との間の接続について示す図である。
【図５Ａ】図１の保護デバイス用の代替的なエアバッグについて示す図である。
【図５Ｂ】図１の保護デバイス用の代替的なエアバッグについて示す図である。
【発明を実施するための形態】
【００２２】
図１は、測定装置１１と三脚１２との間に配置された保護デバイス１０を示している。通常、測定装置は、三脚上に直接固定されている。この目的のために、測定装置には標準化されたねじ穴があり、そこに三脚の標準化されたねじピンがねじ込まれている。
【００２３】
「測定装置」という用語は、アクセスできない現象及び特性を測定するための全ての装置を含む。測定装置の例には、トータルステーション、レーザスキャナ、２Ｄレイアウトデバイス、ロータリレーザレベルが挙げられる。
【００２４】
図２Ａ及び図２Ｂは、図１の保護デバイス１０を示している。保護デバイス１０は、ハウジング１３、エアバッグ１４、充填デバイス１５、及びエアバッグ１４と充填デバイス１５を互いに接続する接続ライン１６を備える。充填デバイス１５は、ガスで充填されたガスコンテナ１７、充填デバイス１５及び接続ライン１６を制御する制御デバイス１８、及び充填デバイス１５によってエアバッグ１４を膨張させるのに必要なエネルギーを供給するエネルギー源１９を備える。「制御デバイス」という用語は、開ループ制御、閉ループ制御、及び／又は保護デバイス１０の動作の監視を実行する全ての構成要素を含む。制御デバイス１８は、例えば、マイクロコントローラ、及び測定装置１１の転倒を検出する加速度センサを備える。
【００２５】
ハウジング１３は、ハウジング下部側面２１として、ハウジング上部側面２２として、下部横側面２３として、及び上部横側面２４として設計された、複数のハウジングセクションからなる。ハウジング下部側面２１には、三脚１２のねじピンにねじ込まれるねじ穴２５が設けられており、ハウジング上部側面２２には、測定装置１２のねじ穴にねじ込まれるねじピン２６が設けられている。区別するために、保護デバイス１０のねじ穴２５及びねじピン２６は、以下では第１のねじ穴及び第１のねじピンと示され、測定装置１２のねじ穴は、第２のねじ穴として示され、三脚のねじピンは、第２のねじピンとして示される。
【００２６】
ハウジング１３は、下部内部空間と上部内部空間とに分割されている。下部内部空間は、ハウジング下部側面２１、下部横側面２３、及び仕切り面２７によって境界を定められ、上部内部空間は、仕切り面２７、上部横側面２４、及びハウジング上部側面２２によって境界が定められている。下部内部空間は、ガスコンテナ１７を備えた充填デバイス１５、制御デバイス１８、及びエネルギー源１９を収容する。例示的な実施形態では、ガスコンテナ１７は、外側からハウジング１３内に挿入され、新しいガスコンテナと簡単に交換することができ、代替として、ガスコンテナをハウジングに固定して設置することができる。上部内部空間は、折り畳まれた状態でエアバッグ１４を収容する。上部横側面２４は、使用時に取り出され、したがって、充填デバイス１５によってエアバッグ１４を膨張させることを可能にする折り畳み面として設計されている。保護デバイス１０は、スイッチ２８によってオン及びオフに切り替えることができる。
【００２７】
図３Ａ及び図３Ｂは、膨張状態の保護デバイス１０のエアバッグ１４を示している。この場合、図３Ａは、上方から見たエアバッグ１４を示し、図３Ｂは、側面から見たエアバッグ１４を示している。
【００２８】
図３Ａは、測定装置１１と三脚１２との間に配置された保護デバイス１０を示している。保護デバイス１０の膨張したエアバッグ１４は、測定装置１１が配置され、損傷から保護されている円筒形の内部空間３１を取り囲んでいる。内部空間３１の形状は、測定装置１１の外部形状に可能な限り一致している。
【００２９】
エアバッグ１４は、第１の安定化チャンバ３２として、衝撃チャンバ３３として、及び第２の安定化チャンバ３４として設計された、複数の環状チャンバを備える。エアバッグ１４が充填されるとき、ガスは、第１の安定化チャンバ３２内に流入し、そこから衝撃チャンバ３３内に流入し、次いで第２の安定化チャンバ３４内に流入する。第１の安定化チャンバ３２は、ガス交換のために衝撃チャンバ３３に接続され、衝撃チャンバ３３は、ガス交換のために第２の安定化チャンバ３４に接続されている。
【００３０】
衝撃チャンバという用語は、下にある表面との衝突時にエネルギー／力が導入されるエアバッグ１４のチャンバを示すために使用され、安定化チャンバという用語は、エアバッグ１４の形状を安定化するエアバッグ１４のチャンバを示すために使用されている。この文脈では、第１の安定化チャンバと第２の安定化チャンバとの間で区別がなされる。エアバッグ１４が充填されるとき、第１の安定化チャンバは、第２の安定化チャンバの前に、一度にガスで充填される。
【００３１】
エアバッグ１４を構成する際には、転倒の間に測定装置１１を保護するために、エアバッグを短時間で完全に膨張させなければならないという事実を考慮しなければならない。その一方で、エアバッグ１４は、エアバッグ内のガスを介して圧力を均等化することによって、落下中に衝撃チャンバ３３に導入されたエネルギーを分配する形状を有しなければならない。エアバッグ１４の形状の適合は、第１の安定化チャンバ３２、衝撃チャンバ３３、及び／又は第２の安定化チャンバ３４をサブチャンバに分割することによって達成される。この細分化は、例えば、隣接するサブチャンバ間の移行部における断面積を減少させるタックを用いて達成することができる。
【００３２】
例示的な実施形態では、第１の安定化チャンバ３２は、４つの第１のサブチャンバ３２Ａ、３２Ｂ、３２Ｃ、３２Ｄを含み、隣接する第１のサブチャンバは、ガス交換のために接続されている。例示的な実施形態では、衝撃チャンバ３３は、４つの衝撃サブチャンバ３３Ａ、３３Ｂ、３３Ｃ、３３Ｄを含み、隣接する衝撃サブチャンバは、ガス交換のために接続されている。例示的な実施形態では、第２の安定化チャンバ３４は、３つの第２のサブチャンバ３４Ａ、３４Ｂ、３４Ｃを含み、隣接する第２のサブチャンバは、ガス交換のために接続されている。それらの部分に対して、第２のサブチャンバ３４Ａ、３４Ｂ、３４Ｃを、再び第２のサブチャンバに分割することができる。
【００３３】
エアバッグ１４が充填されるとき、ガスは、第１の安定化チャンバ３２内に流入し、そこから衝撃チャンバ３３内に流入し、次いで第２の安定化チャンバ３４内に流入する。エアバッグ１４の急速膨張を可能にするために、第１の安定化チャンバ３２、衝撃チャンバ３３、及び第２の安定化チャンバ３４は、接続通路３５Ａ、３５Ｂ、３５Ｃ、３５Ｄによって接続されている。接続通路の断面積は、使用するガスの量に一致する。
【００３４】
図３Ａ及び図３Ｂの例示的な実施形態は、衝撃チャンバを有するエアバッグを示している。代替として、エアバッグは、２つ以上の衝撃チャンバを有することができる。エアバッグが有する衝撃チャンバの数は、エアバッグによって保護される測定装置のサイズ、重量、落下高さ、及び形状に依存する。
【００３５】
図４Ａ及び図４Ｂは、第１の安定化チャンバ３２と衝撃チャンバ３３との間の接続（図４Ａ）を示し、衝撃チャンバ３３と第２の安定化チャンバ３４との間の接続（図４Ｂ）を示す。
【００３６】
エアバッグ５１の充填は、第１の安定化チャンバ３２と衝撃チャンバ３３を接続し、衝撃チャンバ３３と第２の安定化チャンバ３４を接続する接続通路３５Ａ、３５Ｂ、３５Ｃ、３５Ｄを介して行われる。更に、接続通路３５Ａ、３５Ｂ、３５Ｃ、３５Ｄは、衝撃チャンバ３３と、第１及び第２の安定化チャンバ３２、３４との間のガス交換を可能にする。衝撃の間に衝撃チャンバ３３を介して導入されたエネルギーは、エアバッグ１４内のガスを介して分配される。
【００３７】
図５Ａ及び図５Ｂは、保護デバイス１０内のエアバッグ１４を置き換えることができるエアバッグ５１を示している。エアバッグ５１は、充填チャンバ５２、第１の安定化チャンバ５３、衝撃チャンバ５４、第２の安定化チャンバ５５、更なる衝撃チャンバ５６、及び第３の安定化チャンバ５７として設計された、複数の環状チャンバを備える。区別するために、衝撃チャンバ５４は第１の衝撃チャンバと呼ばれ、更なる衝撃チャンバ５６は第２の衝撃チャンバと呼ばれる。エアバッグ５１は、円筒形の内部空間５８を取り囲んでいる。
【００３８】
大型の測定装置又は不規則な形状の測定装置の場合、衝撃チャンバ５４及び更なる衝撃チャンバ５６を備えたエアバッグ５１により、２つの衝撃チャンバ５４、５６を介して衝撃の間にエアバッグ５１内にエネルギーを導入し、それをエアバッグ５１内により均一に分配する可能性を提供する。衝撃チャンバ５４及び更なる衝撃チャンバ５６内に導入されたエネルギーは、エアバッグ５１内のガスを用いて分配される。第１の安定化チャンバ５３、第２の安定化チャンバ５５、及び第３の安定化チャンバ５７は、エアバッグ５１を安定化させるのに役立つ。
【００３９】
エアバッグ５１が充填されるとき、ガスは、最初にガスコンテナ１７から充填チャンバ５２内に流入し、そこから第１の安定化チャンバ５３に、そこから衝撃チャンバ５４に、そこから第２の安定化チャンバ５５に、そこから更なる衝撃チャンバ５６に、及びそこから第３の安定化チャンバ５７に流入する。第１の安定化チャンバ５３は、ガス交換のために衝撃チャンバ５４に接続され、衝撃チャンバ５４は、ガス交換のために第２の安定化チャンバ５５に接続され、第２の安定化チャンバ５５は、ガス交換のために更なる衝撃チャンバ５６に接続され、及び更なる衝撃チャンバ５６は、ガス交換のために第３の安定化チャンバ５７に接続されている。
【符号の説明】
【００４０】
１０      保護デバイス
１１      測定装置
１２      三脚
１３      ハウジング
１４      エアバッグ
１５      充填デバイス
１６      接続ライン
１７      ガスコンテナ
１８      制御デバイス
１９      エネルギー源
２５      ねじ穴
２６      ねじピン
【図１】
2021531477.tif 000003
【図２Ａ】
2021531477.tif 000004
【図２Ｂ】
2021531477.tif 000005
【図３Ａ】
2021531477.tif 000006
【図３Ｂ】
2021531477.tif 000007
【図４Ａ】
2021531477.tif 000008
【図４Ｂ】
2021531477.tif 000009
【図５Ａ】
2021531477.tif 000010
【図５Ｂ】
2021531477.tif 000011
【国際調査報告】
2021531477.tif 000012
2021531477.tif 000013
2021531477.tif 000014
2021531477.tif 000015